(57)【要約】【課題】分光特性にピークが存在する光源装置を利用した場合でも液晶パネルの干渉縞を知覚され難くする。【解決手段】青色光の波長範囲内に分光特性のピークが存在する照明光Ｌが光源装置から液晶パネル２０に照射される。液晶パネル２０は、第１基板２１と第２基板２２との間に封止された液晶２４を含み、光透過性の電極（３４，３８）が液晶２４に印加する電圧に応じて照明光Ｌに対する透過率が変化する。電極（３４，３８）の膜厚ｄと、青色光の波長範囲内における照明光Ｌのピークの波長λと、電極（３４，３８）の屈折率ｎとは、ｄ＝λ／(２ｎ)という関係を満たす。【選択図】図３
2014145887.tif 000002
【特許請求の範囲】
【請求項１】
青色光の波長の範囲内に分光特性のピークが存在する照明光を放射する光源装置と、
第１基板と第２基板との間に封止された液晶と、前記液晶に電圧を印加する光透過性の電極とを含み、前記電極が前記液晶に印加する電圧に応じて前記照明光に対する透過率が変化する液晶パネルとを具備し、
前記電極の膜厚ｄと、前記照明光の前記ピークの波長λと、前記電極の屈折率ｎとが、
ｄ＝λ／(２ｎ)  ……(A)
という関係を満たす液晶装置。
【請求項２】
前記電極は、前記第１基板に形成された第１電極と、前記第２基板に形成された第２電極とを含み、前記第１電極および第２電極の双方の膜厚ｄが、数式(A)の関係を満たす
請求項１の液晶装置。
【請求項３】
前記光源装置は、
青色光を放射する発光源と、
前記発光源からの放射光で励起されて黄色光を放射する蛍光体とを含み、
前記青色光と前記黄色光とを含む前記照明光を放射する
請求項１または請求項２の液晶装置。
【請求項４】
前記第１基板と前記第２基板との間には、前記第１基板と前記第２基板との間隔を維持するためのスペーサーが配置されない
請求項１から請求項３の何れかの液晶装置。
【請求項５】
前記第１基板と前記第２基板との間隔の最大値および最小値の差分δＧと、前記照明光の前記ピークの波長λと、前記液晶の屈折率ｎLCとが、
δＧ≧λ／(４ｎLC)
という関係を満たす請求項１から請求項４の何れかの液晶装置。
【請求項６】
請求項１から請求項５の何れかの液晶装置を具備する電子機器。
【請求項７】
青色光の波長の範囲内に分光特性のピークが存在する照明光を放射する光源装置と、
第１基板と第２基板との間に封止された液晶と、前記液晶に電圧を印加する光透過性の電極とを含み、前記電極が前記液晶に印加する電圧に応じて前記照明光に対する透過率が変化する液晶パネルと、
前記液晶パネルによる変調後の照明光を投射面に投射する投射光学系とを具備し、
前記電極の膜厚ｄと、前記照明光の前記ピークの波長λと、前記電極の屈折率ｎとが、
ｄ＝λ／(２ｎ)  ……(A)
という関係を満たす投射型表示装置。
【発明の詳細な説明】
【技術分野】
【０００１】
本発明は、液晶を利用して画像を表示する技術に関する。
【背景技術】
【０００２】
光源装置が放射した照明光を液晶パネルの画素毎に変調することで画像を表示する液晶装置が従来から提案されている。照明光の生成には各種の光源装置が採用され得る。例えば特許文献１に開示されるように、ＬＥＤ（Light Emitting Diode）等の発光素子を光源装置として利用した構成によれば、ＵＨＰ（Ultra High Performance）ランプを利用した場合と比較して液晶装置の小型化や低廉化を実現できる。
【先行技術文献】
【特許文献】
【０００３】
【特許文献１】特開２０１２−１８５４０３号公報
【発明の概要】
【発明が解決しようとする課題】
【０００４】
しかし、分光特性にピークが存在する光源装置を利用した場合、液晶パネルのセルギャップの誤差に対する液晶の透過率の変動が顕著となり、表示画像の観察者に干渉縞として知覚されるという問題がある。以上の事情を考慮して、本発明は、分光特性にピークが存在する光源装置を利用した場合でも液晶パネルの干渉縞を知覚され難くすることを目的とする。
【課題を解決するための手段】
【０００５】
以上の課題を解決するために、本発明の好適な態様の液晶装置は、青色光の波長の範囲内に分光特性のピークが存在する照明光を放射する光源装置と、第１基板と第２基板との間に封止された液晶と、液晶に電圧を印加する光透過性の電極とを含み、電極が液晶に印加する電圧に応じて照明光に対する透過率が変化する液晶パネルとを具備し、電極の膜厚ｄと、照明光のピークの波長λと、電極の屈折率ｎとが、ｄ＝λ／(２ｎ) ……(A)という関係を満たす。以上の構成では、照明光のピークの波長λと電極の屈折率ｎとに対して数式(A)の関係が成立するように電極の膜厚ｄが選定されるから、照明光の分光特性にピークが存在する構成にも関わらず、液晶パネルの干渉縞を知覚され難くすることが可能である。
【０００６】
なお、「膜厚ｄが数式(A)の関係を充足する」とは、膜厚ｄが数式(A)の関係を完全に充足する状態のほか、膜厚ｄが実質的に数式(A)の関係を充足する状態（膜厚ｄが数式(A)の関係を充足するに等しい状態）も含意する。膜厚ｄが実質的に数式(A)の関係を充足する状態とは、液晶パネルの干渉縞の抑制という所期の効果が実現される範囲で膜厚ｄの誤差を許容した状態である。例えば製造誤差に起因して膜厚ｄが数式(A)の数値とは相違する程度の構成は、数式(A)の関係を実質的に充足すると評価されて本発明の技術的範囲に包含される。また、例えば、照明光のピークの波長λを１０％（または１０％以下の割合）だけ下回る第１波長λ1と波長λを１０％（または１０％以下の割合）だけ上回る第２波長λ2とを想定した場合、第１波長λ1に対して数式(A)の関係を充足する膜厚ｄ1と、第２波長λ2に対して数式(A)の関係を充足する膜厚ｄ2との間の膜厚ｄ（ｄ1≦ｄ≦ｄ2）は、数式(A)を実質的に充足すると評価される。また、「青色光の波長の範囲」とは、観察者が青色光と知覚する波長範囲を意味し、具体的には３８０ｎｍ以上かつ５００ｎｍ以下の範囲（更に好適には４５０ｎｍ±１０％の範囲）である。
【０００７】
本発明の好適な態様において、第１基板に形成された第１電極（例えば対向電極３２）と第２基板に形成された第２電極（例えば画素電極３８）とを含む液晶パネルでは、第１電極および第２電極の双方の膜厚ｄが数式(A)の関係を満たす構成が、液晶パネルの干渉縞の抑制という観点からは格別に好適である。ただし、第１電極および第２電極の一方の膜厚ｄのみが数式(A)の関係を満たす構成も採用され得る。
【０００８】
本発明の好適な態様において、光源装置は、青色光を放射する発光源と、発光源からの放射光で励起されて黄色光を放射する蛍光体とを含み、青色光と黄色光とを含む照明光を放射する。以上の構成では、青色光の波長範囲内の分光特性に先鋭なピークが存在するから、例えば広範な波長範囲にわたり分光特性が平坦な構成と比較して液晶パネルの干渉縞が特に顕在化し易いという事情がある。したがって、液晶パネルの干渉縞を抑制できる本発明が格別に有効である。
【０００９】
第１基板と第２基板との間にスペーサーが配置されない構成では、第１基板と第２基板との間隔（セルギャップ）が変動し易いから、液晶パネルの干渉縞が特に顕在化し易いという事情がある。したがって、液晶パネルの干渉縞を抑制できる本発明は、第１基板と第２基板との間にスペーサーが配置されない構成にとって格別に有効である。
【００１０】
第１基板と第２基板との間隔の最大値および最小値の差分δＧと、照明光のピークの波長λと、液晶の屈折率ｎLCとが、δＧ≧λ／(４ｎLC)という関係を満たす構成では、液晶パネルの干渉縞が特に顕在化し易いという事情がある。したがって、液晶パネルの干渉縞を抑制できる本発明は、前述の関係が成立する構成にとって格別に有効である。
【００１１】
以上の各態様に係る液晶装置は、例えば表示装置として各種の電子機器に利用される。また、本発明の好適な態様に係る投射型表示装置は、前述の各態様に係る液晶装置と、液晶パネルによる変調後の照明光を投射面に投射する投射光学系とを具備する。
【図面の簡単な説明】
【００１２】
【図１】本発明の実施形態に係る投射型表示装置の模式図である。
【図２】光源装置が放射する照明光の分光特性である。
【図３】液晶パネルの断面図である。
【図４】実施形態の波長-透過率特性である。
【図５】対比例の波長-透過率特性である。
【図６】実施形態のセルギャップ毎の波長-透過率特性である。
【図７】対比例のセルギャップ毎の波長-透過率特性である。
【発明を実施するための形態】
【００１３】
＜実施形態＞
図１は、本発明の好適な実施形態に係る投射型表示装置１００の模式図である。投射型表示装置１００は、外部装置（図示略）から指示されたカラー画像を投射面２００（スクリーン）に投射する単板式の液晶プロジェクターであり、光源装置１０と液晶パネル２０と投射光学系３０とを具備する。光源装置１０は、照明光Ｌを放射する。液晶パネル２０は、平面状に配列する複数の画素を含む透過型の表示パネルであり、光源装置１０から放射される照明光Ｌを画素毎に変調（具体的には照明光Ｌに対する透過率を制御）する光変調装置（ライトバルブ）として機能する。投射光学系３０は、液晶パネル２０を透過した変調後の照明光Ｌを拡大して投射面２００に投射する。
【００１４】
図１に示すように、光源装置１０は、発光源１２と蛍光体１４と照明光学系１６とを含んで構成される。発光源１２は、特定の波長の色光（単色光）を放射する。本実施形態の発光源１２は、青色に対応する特定の波長λ（例えば４５５ｎｍ）にて分光特性のピークが存在する青色光を放射する。例えばＬＥＤ等の発光素子が発光源１２として好適に採用される。図１の蛍光体１４は、光照射による励起で蛍光を放射する。本実施形態の蛍光体１４は、発光源１２から放射される青色光で励起されて黄色光（波長５００ｎｍ〜６５０ｎｍ）を放射する。照明光学系１６は、集光用のコンデンサーレンズや平行光を生成するコリメーターレンズ等を含む光学系である。図１では照明光学系１６が便宜的に１個のレンズで表現されている。発光源１２から放射されて蛍光体１４を透過した青色光と蛍光体１４から放射された黄色光とを含む照明光Ｌ（白色光）が照明光学系１６を介して液晶パネル２０に照射される。以上の説明から理解される通り、発光源１２および蛍光体１４は、可視光域の全域にわたり光強度が分布する照明光Ｌを放射する要素として機能する。
【００１５】
図２は、光源装置１０から液晶パネル２０に照射される照明光Ｌの分光特性（スペクトル）である。図２に示す通り、光源装置１０から放射される照明光Ｌの分光特性は、発光源１２から放射された青色光の分光特性（波長範囲ＱB）と蛍光体１４から放射される黄色光の分光特性（波長範囲ＱY）とを合成した特性となる。具体的には、青色光に対応する波長範囲ＱB（例えば４５０ｎｍ±１０％）内の分光特性には、波長λで輝度（光強度）が最大となる先鋭なピークＰkが存在する。他方、黄色光に対応する波長範囲ＱY（例えば５００ｎｍ〜６５０ｎｍ）内の分光特性は波長範囲ＱB内の分光特性と比較して平坦である。また、波長範囲ＱB内の最大輝度（波長４５５ｎｍの輝度）は波長範囲ＱY内の最大輝度を上回る。以上に説明した通り、本実施形態の光源装置１０は、青色光の波長範囲ＱB内に分光特性のピークＰkが存在する照明光Ｌを放射する要素として機能する。以上が光源装置１０の具体例である。
【００１６】
図３は、液晶パネル２０の断面図である。図３に示すように、液晶パネル２０は、所定の間隔をあけて相互に対向する第１基板２１および第２基板２２と、第１基板２１と第２基板２２との間に封止された液晶２４とを具備する。第１基板２１および第２基板２２は、ガラスや石英等で形成された光透過性の板材である。図１および図３に示す通り、光源装置１０から放射された照明光Ｌは第１基板２１に入射する。なお、配向膜や偏光板の図示は便宜的に省略した。
【００１７】
図３に示すように、第１基板２１のうち液晶２４側の表面上には対向電極３２が形成される。対向電極３２は、ＩＴＯ（Indium Tin Oxide）やＩＺＯ（Indium Zinc Oxide）等の光透過性の導電材料（以下「透明導電材料」という）で略一定の膜厚ｄに形成されて複数の画素Ｘにわたり連続する。駆動回路（図示略）により所定の電位が対向電極３２に供給される。
【００１８】
他方、第２基板２２のうち液晶２４側の表面上には複数のカラーフィルター３４（３４R，３４G，３４B）が形成される。各カラーフィルター３４は、画素Ｘ毎に個別に形成され、入射光のうち複数の表示色の何れかに対応する波長の単色光を選択的に透過させる光学フィルタである。具体的には、カラーフィルター３４Rは赤色光を透過させ、カラーフィルター３４Gは緑色光を透過させ、カラーフィルター３４Bは青色光を透過させる。複数のカラーフィルター３４が形成された第２基板２２の表面には光透過性の絶縁層３６が形成される。なお、走査線および信号線等の配線やＴＦＴ（Thin Film Transistor）等の能動素子も第２基板２２の表面上に実際には形成されるが、図３では便宜的に図示を省略した。また、各カラーフィルター３４を第１基板２１に形成することも可能である。
【００１９】
第２基板２２の絶縁層３６の表面上には複数の画素電極３８が形成される。各画素電極３８は、ＩＴＯやＩＺＯ等の透明導電材料で画素Ｘ毎に個別に形成される。外部装置から指示された画像に応じた階調電位が駆動回路（図示略）から各画素電極３８に供給される。第１実施形態では、前述の対向電極３２と同等の膜厚ｄに各画素電極３８が形成された場合を便宜的に想定する。
【００２０】
光源装置１０から放射されて第１基板２１に入射した照明光Ｌは、第１基板２１と対向電極３２と液晶２４と画素電極３８と絶縁層３６とカラーフィルター３４と第２基板２２とを以上の順番で透過したうえで第２基板２２から投射光学系３０に放射する。画素電極３８の電位を制御して画素電極３８と対向電極３２との間の液晶２４に印加される電圧を調整することで照明光Ｌに対する透過率が画素Ｘ毎に個別に設定される。以上の説明から理解される通り、対向電極３２および画素電極３８と両電極間の液晶２４とで、照明光Ｌを変調（照明光Ｌに対する透過率を制御）する液晶素子が構成される。
【００２１】
本実施形態の液晶パネル２０は、１個の画素電極３８が縦３.５μｍ〜４μｍ×横１０.５μｍ〜１２μｍ程度の寸法に形成された高精細な表示パネルである。以上のように高精細な液晶パネル２０で生成された画像が投射光学系３０で投射面２００に拡大投射される。したがって、第１基板２１と第２基板２２との間隔（セルギャップ）Ｇを維持するための直径３μｍ程度のスペーサー（例えば光透過性の球状体）を両基板間に配置した場合、投射面２００に投射された表示画像にスペーサーの像が重畳されて観察者に知覚される可能性がある。以上の事情を考慮して、本実施形態の液晶パネル２０では、第１基板２１と第２基板２２との間にスペーサーが配置されない。したがって、本実施形態では、第１基板２１と第２基板２２との間にスペーサーを配置した構成と比較して、液晶パネル２０のセルギャップＧが変動し易いという傾向がある。
【００２２】
ところで、対向電極３２や各画素電極３８を構成する透明導電材料（ＩＴＯ，ＩＺＯ）は、液晶パネル２０内の光透過性の他要素（例えば第１基板２１や第２基板２２）と比較して屈折率が高いという傾向がある。例えば、ＩＴＯの屈折率は１.７〜２.３であり、ＩＺＯの屈折率は１.９〜２.４である。以上のように対向電極３２および画素電極３８は高屈折率の透明導電材料で形成されるから、対向電極３２および画素電極３８の各々の表面（界面）にて照明光Ｌが反射し、第１基板２１側から第２基板２２側に進行する照明光Ｌと干渉する可能性がある。本実施形態では、第１基板２１と第２基板２２との間にスペーサーが配置されないからセルギャップＧが変動し易く、液晶パネル２０の面内でのセルギャップＧの相違に起因した干渉縞が表示画像の観察者に知覚され易い。しかも、本実施形態では、青色光の波長範囲ＱB内に分光特性の先鋭なピークＰkが存在する照明光Ｌが液晶パネル２０に照射されるから、例えば広範な波長範囲にわたり分光特性が平坦な照明光Ｌを液晶パネル２０に照射する構成と比較して干渉縞が顕在化し易いという事情がある。
【００２３】
以上の事情を考慮して、本実施形態では、対向電極３２および画素電極３８の表面での反射が低減されるように対向電極３２および画素電極３８の各々の膜厚ｄが選定される。具体的には、対向電極３２および画素電極３８が屈折率ｎの透明導電材料で形成される場合を想定すると、以下の数式(1)で表現される通り、対向電極３２および画素電極３８の各々の膜内の光学的距離ｎｄが、光源装置１０から放射される照明光Ｌのうち青色光の波長範囲ＱB内のピークＰkの波長λの半分（λ/２）の整数倍（(２ｍ−１)倍）となるように、対向電極３２および画素電極３８の各々の膜厚ｄが選定される（ｍは自然数）。
ｎｄ＝(２ｍ−１)（λ/２）  ……(1)
【００２４】
数式(1)の自然数ｍを１に設定すると、対向電極３２および画素電極３８の各々の膜厚ｄを規定する以下の数式(2)が導出される。
ｄ＝λ／(２ｎ)  ……(2)
本実施形態では、光源装置１０が放射する照明光Ｌの分光特性のピークＰkの波長λと電極形成用の透明導電材料の屈折率ｎとの間で数式(2)が成立するように、対向電極３２および画素電極３８の各々の膜厚ｄが選定される。例えば、照明光ＬのピークＰkの波長λを４４５ｎｍと仮定し、屈折率ｎが１.９の透明導電材料（ＩＴＯ）を利用する場合を想定すると、対向電極３２および画素電極３８の各々の膜厚ｄは１１７ｎｍに設定される。
【００２５】
実際の膜厚ｄには誤差が許容される。例えば、照明光ＬのピークＰkの波長λを下回る波長λ1と波長λを上回る波長λ2とを想定する（λ1≦λ≦λ2）。波長λ1は、例えば波長λと比較して１０％だけ短い波長（λ1＝０.９λ）であり、波長λ2は、例えば波長λと比較して１０％だけ長い波長（λ2＝１.１λ）である。波長λ1に対応する膜厚ｄ1（ｄ1＝λ1／(２ｎ)）と波長λ2に対応する膜厚ｄ2（ｄ2＝λ2／(２ｎ)）との間に位置する膜厚ｄは、数式(2)の関係を実質的に充足すると評価できる。すなわち、膜厚ｄ1から膜厚ｄ2までの範囲が膜厚ｄの許容範囲（ｄ1≦ｄ≦ｄ2）に相当する。
【００２６】
図４および図５は、照明光Ｌの各波長と液晶パネル２０の透過率との関係（以下「波長-透過率特性」という）のグラフである。図４および図５の縦軸は、所定値を基準値（１.０）とした透過率の相対値を意味する
【００２７】
図４は、発光源１２が放射する青色光の波長λ（λ＝４４５[ｎｍ]）に対して数式(2)の関係が成立するように膜厚ｄ（ｎ＝１.９，ｄ＝１１７[ｎｍ]）を選定した本実施形態の液晶パネル２０の波長-透過率特性である。図４から理解される通り、本実施形態では、照明光Ｌの波長に応じた液晶パネル２０の透過率の変動が、青色光のピークＰkの波長λを含む波長範囲ＱB内で抑制される。他方、図５は、照明光Ｌの波長に応じた液晶パネル２０の透過率の変動が、人間の視感度が高い緑色光の波長範囲（例えば５００ｎｍ〜５７０ｎｍ）内で抑制されるように対向電極３２および画素電極３８の各々の膜厚ｄを選定した対比例の波長-透過率特性である。図５から理解される通り、対比例では、青色光に対応する波長範囲ＱB内で、照明光Ｌの波長に応じた透過率の変動が顕著となる。
【００２８】
図６および図７は、液晶パネル２０のセルギャップＧを変化させた複数の場合（Ｇ＝２.９，３.０，３.１）の各々について波長-透過率特性を併記したグラフである。図６は本実施形態（図４）に相当し、図７は対比例（図５）に相当する。図７から理解される通り、対比例では、照明光Ｌのうち青色光に対応する波長λに対する透過率がセルギャップＧの変化に応じて顕著に変動する。したがって、青色光の波長範囲ＱB内の波長λに分光特性のピークＰkが存在する図２の照明光Ｌを対比例の液晶パネル２０に照射した場合、液晶パネル２０の面内にてセルギャップＧが相違する場合に干渉縞が顕在化するという問題がある。
【００２９】
他方、図６から理解される通り、本実施形態の液晶パネル２０では、液晶パネル２０のセルギャップＧが変動した場合でも、青色光に対応する波長λに対する透過率の変動は、図７の対比例と比較して充分に抑制される。以上の通り、本実施形態では、照明光ＬのピークＰkの波長λに対する透過率の変動が抑制される。したがって、図７に例示した対比例と比較して、液晶パネル２０のセルギャップＧの誤差に起因した干渉縞が表示画像の観察者に知覚され難いという利点がある。
【００３０】
＜変形例＞
以上の形態は多様に変形され得る。具体的な変形の態様を以下に例示する。以下の例示から任意に選択された２以上の態様は、相互に矛盾しない範囲内で適宜に併合され得る。
【００３１】
（１）前述の形態では、対向電極３２と画素電極３８とを共通の膜厚ｄに形成した場合を例示したが、対向電極３２と画素電極３８とで膜厚を相違させることも可能である。対向電極３２と画素電極３８とで膜厚が相違する構成では、対向電極３２および画素電極３８の一方の膜厚ｄが数式(2)で規定される。以上の構成によれば、前述の形態と同様に干渉縞が抑制されるほか、対向電極３２および画素電極３８の他方については膜厚を自由に選定できるという利点もある。もっとも、前述の形態のように対向電極３２および画素電極３８の双方の膜厚ｄを数式(2)で規定した構成によれば、一方の膜厚ｄのみを数式(2)で規定した構成と比較して、干渉縞が抑制されるという効果は格別に顕著となる。
【００３２】
（２）液晶パネル２０のセルギャップＧの最大値Ｇmaxと最小値Ｇminとの差分（セルギャップＧの変動幅）δＧが大きいほど干渉縞の間隔が縮小するとともに干渉縞の本数が増加して観察者に知覚され易くなるという傾向がある。したがって、液晶パネル２０の干渉縞を抑制できる本発明の構成は、差分δＧが大きい構成（干渉縞が発生し易い構成）にとって格別に有効である。
【００３３】
例えば、青色光のピークＰkの波長λと液晶２４の屈折率ｎLCとに応じた基準値λ/(４ｎLC)を差分δＧが上回る構成では、濃淡の１周期分（濃→淡→濃または淡→濃→淡）以上にわたる干渉縞が発生するから、干渉縞の濃淡が１周期未満である場合（濃→淡または淡→濃）と比較して、表示画像の観察者が知覚する干渉縞は顕在化する。以上の事情を考慮すると、液晶パネル２０の干渉縞を抑制できる本発明の構成は、差分δＧが基準値λ/(４ｎLC)以上である構成（δＧ≧λ/(４ｎLC)）にとって格別に有効である。
【００３４】
（３）前述の形態では、青色光を放射する発光源１２としてＬＥＤ等の発光素子を例示したが、発光源１２の種類は適宜に変更される。例えば、波長範囲ＱB内の波長の青色のレーザー光を放射するレーザーや、波長範囲ＱB内の青色光を放射するＵＨＰランプ（放電管）を発光源１２として利用することも可能である。また、前述の形態では、青色光を放射する発光源１２と黄色光を放射する蛍光体１４とを含む光源装置１０を例示したが、光源装置１０の構成や種類は適宜に変更される。以上の説明から理解される通り、光源装置１０は、青色光の波長範囲ＱB内に分光特性のピークＰkが存在する照明光Ｌを放射する要素として包括的に表現される。なお、照明光Ｌのうち波長範囲ＱB内のピークＰkの波長λは前述の例示（４４５ｎｍ）に限定されない。すなわち、光源装置１０が放射する照明光Ｌは、青色光の波長範囲ＱB内に分光特性のピークＰkが存在する光として包括される。青色光の波長範囲ＱBは、例えば３８０ｎｍ以上かつ５００ｎｍ以下の範囲に選定され、更に好適には４５０ｎｍ±１０％の範囲に設定される。
【００３５】
（４）前述の形態では投射光学系３０を具備する投射型表示装置１００を例示したが、光源装置１０（バックライト）と液晶パネル２０とを具備する直視型表示装置にも本発明を適用することが可能である。ただし、直視型表示装置と比較して液晶パネル２０が高精細かつ小型である投射型表示装置１００では、第１基板２１と第２基板２２との間にスペーサーを配置することが困難であるため、液晶パネル２０のセルギャップＧが変化して干渉縞が発生し易いという事情がある。したがって、液晶パネル２０の干渉縞を抑制できる本発明の構成は、投射型表示装置１００にとって格別に好適である。また、以上の形態では透過型の液晶パネル２０を例示したが、反射型の液晶パネル２０を利用した構成にも本発明を適用することが可能である。
【００３６】
（５）以上の形態で例示した光源装置１０と液晶パネル２０とを具備する液晶装置（直視型表示装置および投射型表示装置１００の双方を包含する）は各種の電子機器に利用される。本発明の液晶装置を適用可能な電子機器としては、例えば、パーソナルコンピュータや携帯電話機、携帯情報端末（ＰＤＡ：Personal Digital Assistants）、デジタルスチルカメラ、テレビ、ビデオカメラ、カーナビゲーション装置、車載用の表示器（インパネ）、電子手帳、電子ペーパー、電卓、ワードプロセッサ、テレビ電話、ＰＯＳ端末、プリンター、スキャナー、複写機、ビデオプレーヤー、タッチパネルを備えた機器等が例示され得る。
【符号の説明】
【００３７】
１００……投射型表示装置、２００……投射面、１０……光源装置、１２……発光源、１４……蛍光体、１６……照明光学系、２０……液晶パネル、２１……第１基板、２２……第２基板、２４……液晶、３２……対向電極、３４（３４R，３４G，３４B）……カラーフィルター、３６……絶縁層、３８……画素電極、３０……投射光学系。
【図１】
2014145887.tif 000003
【図２】
2014145887.tif 000004
【図３】
2014145887.tif 000005
【図４】
2014145887.tif 000006
【図５】
2014145887.tif 000007
【図６】
2014145887.tif 000008
【図７】
2014145887.tif 000009